(57)【要約】【課題】柄から先端器具が抜け落ちるのをより確実に防止することができるとともに、柄を交換したり、修理したりする際の作業性を高めることのできる、農工具を提供する。【解決手段】農工具１０は、木製の柄１２と、柄１２の先端部外面に被せられて固定された金属製の鞘管１４と、鞘管１４が挿入されて固定された有底筒状の受容部３０を有する金属製の先端器具１６とを備えている。そして、鞘管１４の先端部には、ナット１８が設けられており、受容部３０の底部には、孔６０が形成されており、孔６０に挿通されたボルト２２をナット１８に螺合することによって、先端器具１６と鞘管１４とが固定されている。【選択図】図４
0003120397.tif 000002
【実用新案登録請求の範囲】
【請求項１】
木製の柄と、前記柄の先端部外面に被せられて固定された金属製の鞘管と、前記鞘管が挿入されて固定された有底筒状の受容部を有する金属製の先端器具とを備える、農工具であって、
前記鞘管の先端部には、ナットが設けられており、前記受容部の底部には、孔が形成されており、前記孔に挿通されたボルトを前記ナットに螺合することによって、前記先端器具と前記鞘管とが固定されている、農工具。
【請求項２】
前記鞘管の側面には、前記受容部の内面に弾性的に押圧される押圧部が形成されている、請求項１記載の農工具。
【考案の詳細な説明】
【技術分野】
【０００１】
本考案は、木製の柄と、柄の先端部に取り付けられた金属製の先端器具とを備える、鍬または鋤等のような農工具に関する。
【背景技術】
【０００２】
鍬または鋤等の農工具においては、木製の柄の先端部に土を掘り返したりするための金属製の先端器具が取り付けられている。そのため、柄と先端器具との接合強度が不十分では、柄から先端器具が抜け落ちたり、農工具の取扱い性が悪くなったりするおそれがある。
【０００３】
そこで、従来の農工具１では、図１１に示すように、先端器具２を構成する器具本体３の上部に筒状の受容部４を設け、この受容部４に柄５の先端部を挿入し、柄５の外面と受容部４の内面との間の隙間に楔６を打ち込んだり、受容部４と柄５とを釘７で固定したりすることによって、先端器具２と柄５とを確実に接合するようにしていた。
【０００４】
また、特開平１０−２３５５７６号公報（特許文献１）に記載された従来技術では、先端器具の脱落を確実に防止するために、Ｌ型の留具を用いるようにしていた。
【特許文献１】特開平１０−２３５５７６号
【考案の開示】
【考案が解決しようとする課題】
【０００５】
従来では、楔６、釘７または留具等によって、先端器具２と柄５との接合強度を高めるようにしていたが、これらの手法によっても、なお十分な接合強度を得ることができず、柄５から先端器具２が抜け落ちるのを確実に防止することができなかった。また、完成した農工具１から楔６、釘７または留具等を取り外すのは容易ではなく、柄５を交換したり、修理したりする際の作業性が悪いという問題もあった。
【０００６】
それゆえに、本考案の主たる解決課題は、柄から先端器具が抜け落ちるのをより確実に防止することができるとともに、柄を交換したり、修理したりする際の作業性を高めることのできる、農工具を提供することである。
【課題を解決するための手段】
【０００７】
請求項１に記載した考案は、「木製の柄１２と、前記柄１２の先端部外面に被せられて固定された金属製の鞘管１４と、前記鞘管１４が挿入されて固定された有底筒状の受容部３０を有する金属製の先端器具１６とを備える、農工具１０であって、前記鞘管１４の先端部には、ナット１８が設けられており、前記受容部３０の底部には、孔６０が形成されており、前記孔６０に挿通されたボルト２２を前記ナット１８に螺合することによって、前記先端器具１６と前記鞘管１４とが固定されている、農工具１０」である。
【０００８】
この考案では、柄１２の先端部外面に被せられて固定された金属製の鞘管１４と金属製の先端器具１６とをボルト２２およびナット１８を用いて接合するようにしているので、柄１２と先端器具１６とを着脱自在に強固に接合できる。
【０００９】
請求項２に記載した考案は、請求項１に記載した「農工具１０」において、「前記鞘管１４の側面には、前記受容部３０の内面に弾性的に押圧される押圧部３２が形成されている」ことを特徴とする。
【００１０】
この考案では、鞘管１４の側面に形成された押圧部３２を受容部３０の内面に弾性的に押圧するようにしているので、受容部３０の内部において鞘管１４ががたつくのを防止できる。
【考案の効果】
【００１１】
請求項１および２に記載した考案によれば、ボルト２２およびナット１８を用いて柄１２と先端器具１６とを強固に接合することができるので、柄１２から先端器具１６が抜け落ちるのをより確実に防止することができる。また、ボルト２２およびナット１８の締結を解除することによって、柄１２と先端器具１６とを容易に分離することができるので、柄１２を交換したり、修理したりする際の作業性を飛躍的に高めることができる。
【００１２】
請求項２に記載した考案によれば、柄１２と先端器具１６との接合部におけるがたつきを解消できる。
【考案を実施するための最良の形態】
【００１３】
図１は、本考案が適用された農工具１０を示す正面図であり、図２は、農工具１０を示す側面図である。また、図３は、農工具１０を示す断面図であり、図４は、農工具１０を示す分解斜視図である。
【００１４】
農工具１０（図１〜図４）は、鍬または鋤等のような作業者が手で持って操作する手作業具であり、木製の柄１２と、柄１２の先端部外面に被せられて固定された金属製の鞘管１４と、金属製の先端器具１６とを備えている。
【００１５】
柄１２は、樫等のような高強度の木材からなる棒状部材であり、柄１２の先端面中央部には、ナット１８を収容する穴２０ａ（図３、図４）が形成されており、穴２０ａの底面中央部には、ナット１８に螺合されたボルト２２の先端部を収容する穴２０ｂ（図３）が形成されている。また、柄１２の所定箇所には、リベット２４（図１）が挿通される貫通孔２６（図４）が形成されている。
【００１６】
なお、穴２０ａおよび２０ｂの「内径」は、柄１２の強度が損なわれるのを防止するために、ナット１８およびボルト２２の外径よりも少しだけ大きく設定されている。また、柄１２の「長さ」および「太さ」は、手で持って操作するときの操作性を考慮して設定されており、柄１２の「断面形状」は、手で握るときの握り易さを考慮して設定されている。
【００１７】
鞘管１４は、図４および図５に示すように、鉄等の金属からなり、柄１２の先端部外面に沿う内面を有する断面四角形の筒状の鞘管本体２８を有している。そして、鞘管本体２８の側面には、鞘管本体２８の一部を外方へ切り起こすことによって、後述する受容部３０の内面に弾性的に押圧される押圧部３２が形成されており、押圧部３２の内面には、ウレタン樹脂等の弾性材料からなる弾性シート３４（図５）が接着等によって固着されている。また、鞘管本体２８の対向する２つの側面には、リベット２４（図１）が挿通される貫通孔３６が形成されており、鞘管本体２８の先端開口部には、これを閉塞する閉塞部材３８（図５）が溶接等によって固着されている。
【００１８】
閉塞部材３８は、図６に示すように、鉄等の金属からなる閉塞板４０を有しており、閉塞板４０の中央部には、ボルト２２が挿通される孔４２が形成されている。また、閉塞板４０の内側面には、孔４２と連通するナット１８が溶接等によって固着されている。そして、閉塞部材３８の外側面、すなわち鞘管１４の先端面には、図３〜図５に示すように、ゴム等の弾性材料からなり、閉塞部材３８の孔４２と連通する孔４４を有するクッションシート４６が接着等によって固着されている。
【００１９】
先端器具１６（図１〜図４）は、器具本体４８と、器具本体４８の上部に設けられた有底筒状の受容部３０とを鉄等の金属によって一体的に形成したものである。
【００２０】
器具本体４８は、農工具１０の本来の機能を発揮する部分であり、器具本体４８の形状は、その機能に適した形状に設定されている。本実施例における器具本体４８の形状は、「土を耕す機能」を発揮するために、３本の爪５０を有するフォーク状に設定されている。
【００２１】
受容部３０は、図３および図４に示すように、鞘管１４の外面に沿う内面を有する断面四角形の筒状の受容部本体５２を有しており、受容部本体５２の先端開口部には、これを閉塞する蓋部材５４が着脱自在に装着されている。
【００２２】
蓋部材５４は、図７に示すように、鉄等の金属からなる蓋板５６を有しており、蓋板５６の内側面には、受容部３０の先端開口部に嵌り合う嵌合板５８が溶接等によって固着されている。そして、蓋板５６および嵌合板５８の中央部には、鞘管１４のナット１８等と連通する孔６０が形成されている。
【００２３】
農工具１０を組み立てる際には、図４に示すように、まず、先端面にクッションシート４６が固着された鞘管１４を準備し、この鞘管１４を柄１２の先端部外面に装着する。そして、柄１２の貫通孔２６と鞘管１４の貫通孔３６とにリベット２４（図１）を挿通し、このリベット２４を用いて鞘管１４を柄１２に対して固定する。
【００２４】
続いて、柄１２の先端部外面に装着された鞘管１４を、先端器具１６における受容部３０の受容部本体５２に挿入する。このとき、鞘管１４の押圧部３２が受容部本体５２の内面に弾性的に押圧されるので、鞘管１４の外面と受容部本体５２の内面との間に隙間があったとしても、鞘管１４は、がたつくことなく、受容部本体５２の内部で固定されることになる。
【００２５】
受容部本体５２に対する鞘管１４の挿入が完了すると、受容部本体５２の先端開口部に蓋部材５４を装着する。そして、受容部３０の底部（すなわち蓋部材５４）の孔６０にボルト２２を挿通し、これを鞘管１４のナット１８に螺合する。
【００２６】
農工具１０においては、鞘管１４の押圧部３２が受容部３０の内面に押圧されているので、ボルト２２を取り外したとしても、先端器具１６の受容部３０から柄１２および鞘管１４を手作業で引き抜くことは容易ではない。そこで、これを容易に引き抜くために、以下の手法が用いられる。
【００２７】
すなわち、まず、ボルト２２をある程度緩めることによって、ボルト２２の頭部と蓋部材５４との間に隙間を確保し、続いて、図８に示すように、ボルト２２の頭部を地面等へ打ち付けることによって、先端器具１６をその自重によって鞘管１４の先方へ移動させる。すると、鞘管１４の押圧部３２が受容部３０の外部へ相対的に移動され、受容部３０の内面に対する押圧部３２の押圧状態が解除される。そこで、ボルト２２を完全に取り外し、先端器具１６の受容部３０から柄１２および鞘管１４を引き抜く。
【００２８】
このように、本実施例の農工具１０によれば、柄１２から先端器具１６が抜け落ちるのを、ボルト２２およびナット１８によって確実に防止できるとともに、先端器具１６と柄１２とを容易に分離することができる。
【００２９】
なお、上述の実施例では、鞘管本体２８の上側面および左右側面に押圧部３２を形成しているが（図４、図５）、鞘管本体２８の上側面、左右側面および下側面の全ての側面に押圧部３２を形成してもよいし、上側面だけに押圧部３２を形成してもよい。つまり、押圧部３２は、農工具１０を操作する際の接合部におけるがたつきを防止するものであり、少なくとも鞘管本体２８の上側面に押圧部３２を形成しておけば、その目的を達成することができる。また、押圧部３２の内面に弾性シート３４（図５）を固着しているが、押圧部３２自体が弾性を有する場合には、弾性シート３４を省略してもよい。
【００３０】
また、上述の実施例では、鞘管本体２８の一部を外方へ切り起こすことによって押圧部３２を形成しているが、図９に示すように、鞘管本体２８の一部をプレス等で外方へ膨出させることによって押圧部３２を形成してもよい。
【００３１】
そして、上述の実施例では、柄１２の断面形状を「四角形」に設定しているが、図１０に示すような「楕円形」、「円形」または「六角形」等に設定してもよく、柄１２の先端部とそれ以外の部分とを異なる形状に設定してもよい。ただしいずれの場合でも、鞘管１４および受容部３０等の形状は、柄１２の先端部の形状に適合するように設定されることになる。
【００３２】
さらに、上述の実施例では、受容部本体５２の先端開口部に「底部」となる蓋部材５４を着脱自在に装着することによって、有底筒状の受容部３０を構成しているが、受容部本体５２と底部とを予め一体に形成するようにしてもよい。
【図面の簡単な説明】
【００３３】
【図１】農工具を示す正面図
【図２】農工具を示す側面図
【図３】農工具を示す断面図
【図４】農工具を示す分解斜視図
【図５】鞘管を示す断面図
【図６】閉塞部材を示す斜視図
【図７】蓋部材を示す斜視図
【図８】先端器具と柄とを分離する方法を示す図
【図９】押圧部の変形例を示す図
【図１０】柄の変形例（断面楕円形）を示す図
【図１１】従来の農工具を示す斜視図
【符号の説明】
【００３４】
１０…  農工具
１２…  柄
１４…  鞘管
１６…  先端器具
１８…  ナット
２２…  ボルト
２４…  リベット
２８…  鞘管本体
３０…  受容部
３２…  押圧部
３４…  弾性シート
３８…  閉塞部材
４０…  閉塞板
４２，４４，６０…  孔
４６…  クッションシート
４８…  器具本体
５２…  受容部本体
５４…  蓋部材
５６…  蓋板
５８…  嵌合板
【図１】
0003120397.tif 000003
【図２】
0003120397.tif 000004
【図３】
0003120397.tif 000005
【図４】
0003120397.tif 000006
【図５】
0003120397.tif 000007
【図６】
0003120397.tif 000008
【図７】
0003120397.tif 000009
【図８】
0003120397.tif 000010
【図９】
0003120397.tif 000011
【図１０】
0003120397.tif 000012
【図１１】
0003120397.tif 000013